(57)【要約】【課題】決済情報入力装置のセキュリティと組込性を向上する。【解決手段】決済端末に装着される決済情報入力装置であって、筐体と、前記筐体に設けられ、決済情報を入力するための決済情報入力部と、前記筐体の表面に設けられた操作部と、前記決済情報入力部に入力された前記決済情報に基づく情報を外部に出力するための出力部とを備え、前記筐体の一側面に設けられ、前記決済端末と嵌合する嵌合爪と、前記筐体の裏面における前記一側面と対向する他側面側に設けられ、前記決済端末と係合して前記筐体を固定するための固定部とを有することを特徴とする。【選択図】図３
2018055281.tif 000002
【特許請求の範囲】
【請求項１】
決済端末に装着される決済情報入力装置であって、
筐体と、
前記筐体に設けられ、決済情報を入力するための決済情報入力部と、
前記筐体の表面に設けられた操作部と、
前記決済情報入力部に入力された前記決済情報に基づく情報を外部に出力するための出力部と
を備え、
前記筐体の一側面に設けられ、前記決済端末と嵌合する嵌合爪と、
前記筐体の裏面における前記一側面と対向する他側面側に設けられ、前記決済端末と係合して前記筐体を固定するための固定部とを有することを特徴とする決済情報入力装置。
【請求項２】
前記筐体の裏面にリブ形状が設けられており、
前記リブ形状は、前記一側面に亘って設けられていることを特徴とする請求項１に記載の決済情報入力装置。
【請求項３】
前記嵌合爪と前記リブ形状が一体となるように、前記嵌合爪とリブ形状とが連続して設けられたことを特徴とする請求項１または２に記載の決済情報入力装置。
【請求項４】
前記リブ形状は、前記背面における前記第１面と隣接しない３辺の外周に沿って設けられ、前記第１面に対して延在することを特徴とする請求項２または３に記載の決済情報入力装置。
【請求項５】
前記第１面におけるリブ形状は、前記嵌合爪が設けられた部分が前記背面側と反対側に突出するように設けられたことを特徴とする請求項４に記載の決済情報入力装置。
【請求項６】
前記リブ形状は、前記外周と所定の間隔を空けて設けられることを特徴とする請求項４または５に記載の決済情報入力装置。
【請求項７】
前記決済情報入力装置を備える決済端末であって、
前記決済端末に設けられた凹部に対して前記決済情報入力装置が配置され、
前記決済情報入力装置の前記背面における前記リブ形状の外側の部分と前記凹部とが当接し、
前記決済情報入力装置との隙間を塞がれることを特徴とする請求項６に記載の決済端末。
【請求項８】
前記決済情報入力装置を備える決済端末であって、前記筐体の裏面に対向するように制御基板を有し、
前記基板には、前記筐体の裏面に設けられた導電部に当接するように金属部材が配置されたことを特徴とする請求項１から７のいずれか一項に記載の決済端末。
【請求項９】
筐体と、
前記筐体に設けられ、決済情報を入力するための決済情報入力部と、
前記筐体の表面に設けられた操作部と、
前記決済情報入力部に入力された前記決済情報に基づく情報を外部に出力するための出力部と
を備える決済情報入力ユニットと、
前記決済情報入力ユニットの一端側に設けられた嵌合爪と嵌合する被嵌合部と
を有し、
前記決済情報入力ユニットの嵌合爪を前記被嵌合部に嵌合させ、前記被嵌合部を回動中心として前記筐体を回動させることによって前記決済情報入力ユニットが組み付けられることを特徴とする決済端末。
【発明の詳細な説明】
【技術分野】
【０００１】
本発明は、決済情報を入力するための決済情報入力装置に関する。
【背景技術】
【０００２】
従来から、レジシステムと呼ばれている決済システムでは、ＰＯＳシステム（販売時点
管理）が広く使われている。
【０００３】
ＰＯＳシステムとは、一般に、購入される商品の各品目に、バーコードとして印刷または無線タグとして付けられた統一商品コードを読み取り、ネットワーク・サーバまたは他の店舗プラットフォーム・ホストといった店舗コンピュータ・システムに結合され、店舗が在庫している商品品目のリストや各品目の価格、スタイル、色等を含む、様々な種類の商品識別情報が記憶される。
【０００４】
また、決済システムでは、特許文献１に示すように、現金決済以外にクレジットカード決済や、非接触ＩＣカードを使用した電子決済が広く使用されている。クレジットカード決済では、利用限度額の超過や偽造クレジットカードなどの不正防止を照会するためにリアルタイムでクレジットカード会社のサーバに接続し、クレジットカード情報を照合する処理を行っている。
【先行技術文献】
【特許文献】
【０００５】
【特許文献１】特開平９-８９１１５号公報
【発明の概要】
【発明が解決しようとする課題】
【０００６】
現在、クレジットカード等のカードを内部に取り込んで磁気データの読取や記録を行うカードリーダを備えた決済端末が広く利用されており、携帯型決済端末へ決済機能を提供するＰＩＮＰＡＤユニットをモジュール化する事で、セキュリティ向上および決済機能部分の組替え性の向上を図る事が可能である。
【０００７】
ＰＩＮＰＡＤユニットをモジュールとして組み込む構造を取る場合、組み込む対象機との間に隙間が発生してしまい、商品としてのセキュリティの低下や、防水・防塵性の低下、隙間による外観の不良などが発生してしまう危険性がある。
【課題を解決するための手段】
【０００８】
本発明に係る決済情報入力装置は、上記の問題点を鑑み、
決済端末に装着される決済情報入力装置であって、
筐体と、
前記筐体に設けられ、決済情報を入力するための決済情報入力部と、
前記筐体の表面に設けられた操作部と、
前記決済情報入力部に入力された前記決済情報に基づく情報を外部に出力するための出力部と
を備え、
前記筐体の一側面に設けられ、前記決済端末と嵌合する嵌合爪と、
前記筐体の裏面における前記一側面と対向する他側面側に設けられ、前記決済端末と係合して前記筐体を固定するための固定部とを有することを特徴とする。
【発明の効果】
【０００９】
本発明によれば、決済情報入力装置におけるセキュリティ性の向上および組立性の向上が可能となる。
【図面の簡単な説明】
【００１０】
【図１】本発明の一実施形態に係る携帯型決済端末の外観を示す斜視図である。
【図２】本発明の一実施形態に係る携帯型決済端末の決済情報入力ユニットの外観を示す斜視図である。
【図３】本発明の一実施形態に係る携帯型決済端末の決済情報入力ユニットの外観を示す他の斜視図である。
【図４】本発明の一実施形態に係る携帯型決済端末の決済情報入力ユニットの正面図である。
【図５】本発明の一実施形態に係る携帯型決済端末の決済情報入力ユニットの断面図である。
【図６】本発明の一実施形態に係る携帯型決済端末の決済情報入力ユニットの側面図である。
【図７】本発明の一実施形態に係る携帯型決済端末の決済情報入力ユニットの背面図である。
【図８】本発明の一実施形態に係る携帯型決済端末の決済情報入力ユニットの外観図である。
【図９】本発明の一実施形態に係る携帯型決済端末の斜視図である。
【図１０】本発明の一実施形態に係る携帯型決済端末の導光部材の拡大図である。
【図１１】本発明の一実施形態に係る携帯型決済端末の断面図である。
【発明を実施するための形態】
【００１１】
以下、発明を実施するための形態について図面を参照しながら詳述する。なお、図中、同一の構成には同一の符号を付して重複する説明は省略する。
【００１２】
本発明の第一実施形態では、決済情報入力装置の一例として磁気ストライプ読み取り等による電子決済機能を有する決済情報入力ユニットを搭載した携帯型決済端末について例示する。
【００１３】
図１は、本発明の第一実施形態に係る携帯型決済端末の外観を示す斜視図である。
【００１４】
図１において、携帯型決済端末１はその正面側にカバー３ａで覆われた操作部２を含む電子決済を行うための決済情報入力ユニット３が取り付けられている。ここで、以下の説明においては、図１において携帯型決済端末１の本体１ａに対し決済情報入力ユニット３が取り付けられた側を正面側とし、それに対向する側を背面側とする。決済情報入力ユニット３に隣接して、決済処理の結果に関する情報などを印刷して出力する印刷ユニット６が設けられている。以下の説明においては、決済情報入力ユニット３に対して印刷ユニット６が配置された側を上方側とし、決済情報入力ユニット３側を下方として説明する。
【００１５】
本実施形態において電子決済とは、商品またはサービスの代価を支払う場合、現金ではなく、電子データをやり取りすることで支払いを行うことを示す。例えば、クレジットカードやデビットカード（銀行などの預金口座から即時或いは後ほど引き落として支払う）のカード番号やそれに付随する各種情報を外部装置とやり取することで行われる決済が本実施例の電子決済に含まれる。
【００１６】
決済情報入力ユニット３が決済情報を取得し、その決済情報を携帯型決済端末１の本体１ａ側へと送信する。決済情報入力ユニット３による決済情報の取得としては、磁気ストライプ読取や非接触ＩＣカードによる入力などの方法によって行われる。また、カード以外であっても、近距離無線通信技術を用いた決済が行われてもよい。本実施形態に係る詳細な方法については後述する。
【００１７】
決済情報入力ユニット３によって取得された決済情報は、受け取った携帯型決済端末１の本体１ａ側に設けられた制御部によって処理される。例えば、携帯型決済端末１の本体１ａ側に無線通信機能を設けた場合には決済情報が無線通信によりタブレットやＰＣなどの外部機器に送受信され、電子決済が行われる。また、有線接続される場合も同様に外部装置に接続されて決済情報の送受信が行われ、決済処理が完了する。必要に応じて印刷ユニット６から決済処理に関する情報を印字するための指示を携帯型決済端末１の本体１ａ側の制御部から送信し、印字処理が実行され、排紙口６１から排紙される。
【００１８】
携帯型決済端末１を駆動するためのバッテリ１３が、携帯型決済端末１の本体１ａの内部に配置されており、本体１ａ内の制御部、決済情報入力ユニット３や印刷ユニット６へと電力供給されている。
【００１９】
図２（Ａ）には、携帯型決済端末１から決済情報入力ユニット３を取り外した状態の分解斜視図を示す。図２（Ｂ）は、携帯型決済端末１から取り外した決済情報入力ユニット３の斜視図である。本実施形態の決済情報入力ユニット３は、複数の携帯型決済端末に対して嵌合可能なような接合構造を有しており、利用目的に応じて携帯型決済端末の本体側の構造を異なる形態に変更したものに対しても搭載可能としている。
【００２０】
図２（Ａ）、（Ｂ）に示すように、本実施形態に係る決済情報入力ユニット３の接合構造としては、上端部に設けた嵌合爪３１と固定用ビス３２ａ（不図示）を取り付けるための固定用ボス３２を有している。但し、嵌合爪３１や固定用ビス３２ａは接合構造の一例に過ぎず、簡易な構成で接合可能に構成されていれば良い。一方側は嵌合などの構造的な接触によって固定され、他方はビスなどの他の部材によって確実な固定を行うことによって組立作業性及び取り付け信頼性の双方をバランス良く高めることができるため好ましい。しかしながら、例えば、固定用ビス３２ａの代わりに他の嵌合爪を設けることにより、爪の嵌合だけで本体１ａと決済情報入力ユニット３との接合を行えるようにしてもよく、この場合にはビス等の固定部材が不要となるため、組立作業性を向上することができる。
【００２１】
携帯型決済端末１の本体１ａには決済情報入力ユニット３を取り付けるための収容部１２が設けられており、まず決済情報入力ユニット３の嵌合爪３１を本体１ａに設けた爪受け部（非嵌合部）１１に引掛けるようにして嵌合させ、その後固定用ボス３２側（下方側）を収容部１２に落とし込むようにして取り付ける。
【００２２】
その状態で固定用ボス３２に対して固定用ビス３２ａを取り付けることによって決済情報入力ユニット３の嵌合が完了する。固定用ビス３２ａは決済情報入力ユニット３の下端部の両脇に設けられている。
【００２３】
決済情報入力ユニット３の背面側には、携帯型決済端末１の収容部１２に組み込まれた際に携帯型決済端末１の壁面との間の空隙を狭めて塵などの侵入を防ぐためのリブ３３が設けられている。詳細は後述の図７を用いて説明する。
【００２４】
図３は、携帯型決済端末から取り外した決済情報入力ユニット３のカバー３ａを開いた状態を示した図である。操作部２は、携帯型決済端末１の主操作者である顧客等が操作を行い、情報を入力するためのものである。操作部２は、複数の操作ボタンを有し、携帯型決済端末１の本体１ａの主操作面である正面（表面）側の端部に配置されている。
【００２５】
また、磁気読取手段としての磁気ストライプ読取部（以下、ＭＳＲ（ｍａｇｎｅｔｉ  ｓｔｒｉｐｅ  ｒｅａｄｅｒ））４は、磁気ストライプカード（以下、磁気カード）の磁気ストライプ部から情報を読み取る。なお、このＭＳＲ４では、操作部２等を顧客側に向けた状態（図１の上方側に販売スタッフが居る状態）で、携帯型決済端末１の本体１ａの下端部（具体的には顧客側の端部）に設けられた磁気読取用カード通過溝４２に沿って、磁気カードを横引きすることにより磁気情報を読み取ることができる。この際、販売スタッフは、例えば、右手で携帯型決済端末１本体を支え、その状態で顧客から磁気カードを左手で受け取り、磁気読取用カード通過溝４２に磁気カードを横引きすることができ、磁気カード操作を含む自然な操作導線を確保することができ、端末の操作性を向上することができる。
【００２６】
操作部２は、磁気読取用カード通過溝４２が開口する側の一方面上に設けられ、決済に用いるカードの所有者である顧客（以下、顧客）が操作（例えば、暗証番号等の認証情報（以下、暗証番号）の入力操作）を行うためのものである。すなわち、この操作部２は、テンキー部２ａ、表示部５、接触型ＩＣカード挿入口２ｂ、不図示の接触型ＩＣカードリーダ２ｄを備えている。主に顧客が操作する部分は、テンキー部２ａである。
【００２７】
テンキー部２ａは、顧客が暗証番号の入力を行うために使用され、表示部５は、顧客へのメッセージや、テンキー部２ａでの入力に対応する伏せ文字等を表示する
【００２８】
接触型ＩＣカード挿入口２ｂは、接触型ＩＣカードを挿入するための挿入口である。接触型ＩＣカードリーダ２ｄは、操作部２の内部に設けられ、接触型ＩＣカード挿入口２ｂに挿入される接触型ＩＣカードのＩＣ部から情報を読み取る。この際、販売スタッフは、例えば、右手で携帯型決済端末１本体を支え、その状態で顧客から接触型ＩＣカードを左手で受け取り、接触型ＩＣカード挿入口２ｂに接触型ＩＣカードを挿入し、そのまま携帯型決済端末１の向きを変更することなく、顧客が暗証番号の入力を行うことができる。これにより、自然な操作導線を確保することができ、販売スタッフ及び顧客による端末の操作性を向上することができる。なお、本実施形態では、接触型ＩＣカード挿入口２ｂへのカード挿入方向と、上記ＭＳＲ４へのカード横引き方向とが同一方向となるようにし、操作の統一性を確保している。
【００２９】
以上説明したように、接触型ＩＣカードリーダ２ｄは、操作部２、ＭＳＲ４および表示部５とで１つの一体ユニットである決済情報入力ユニット３を構成する。また、非接触型ＩＣカードリーダを設けてもよく、その場合、読み取りのためのアンテナを操作部２の背面に貼りつけることなどによって設ければよい。更に言えば、操作部２に設けられたテンキー部２ａの周囲を取り囲むようにしてアンテナを引き回すことによって、効果的にスペースを利用することができる。
【００３０】
操作部２の内部には制御部が設けられ、決済情報入力ユニット３全体を統括制御するとともに、携帯型決済端末１の本体１ａ側と通信を行う。また、制御部は、テンキー部２ａで入力された暗証番号と、接触型ＩＣカードリーダ２ｄ等で読み取られたデータとを比較し、比較結果を携帯型決済端末１本体に通知する。
【００３１】
図４および図５には、本発明の一実施形態に係る携帯型決済端末の決済情報入力ユニット３のカバー３ａが開かれた状態の正面図および正面断面図を示している。
【００３２】
決済情報入力ユニット３の正面下方側には、ＭＳＲ４が配置されているが、その内部構造について、図５（Ａ）におけるＢ−Ｂ断面を図５（Ｂ）に示している。
【００３３】
図４に示すように、ＭＳＲ４のカード通過溝４２が決済情報入力ユニット３の下方側に設けられており、その一端側である決済情報入力ユニット３の側壁に磁気カードを筐体内に取り込むための取込口４２ａが設けられ、その他端側である決済情報入力ユニット３の側壁に磁気カードを筐体内から排出するための排出口４２ｂが設けられている。
【００３４】
図５（Ｂ）で示すように、ＭＳＲ４のカード通過溝４２を挟むようにして、磁気ヘッド４３が配置されている。決済情報入力ユニット３としては、操作しやすい操作部２の幅（上下方向と直交する紙面左右の方向）寸法にすることや、上述したように複数の機器へ対応可能な大きさの実現をすべく、ある程度の幅寸法となっている。それに対し、磁気ヘッド４としてはある程度の幅しか占めておらず、決済情報入力ユニット３の幅に対して余裕がある。
【００３５】
設計スペースの都合を考慮すれば余裕がある方が好ましいが、本実施形態のような決済処理を行う決済処理端末においては後述のセキュリティ対策を施すことが好ましい。
【００３６】
具体的には、スキミングと呼ばれる方法が広く問題となっており、スキミング用の磁気ヘッド（スキミング用磁気ヘッド）をカード通過溝４２の近傍に配置し、決済情報入力ユニット３が決済処理のための情報の授受を磁気カードとの間で行うのと同時に、スキミング用磁気ヘッドによって磁気カードの情報を受信することで、個人情報が抜き取られてしまう虞がある。
【００３７】
本実施形態においては、磁気ヘッド４３と横並びとなるように視認部４１の一例としての凹構造を設けている。図５（Ｂ）においては、磁気ヘッド４３の左右に一対の凹構造４１ａ、４１ｂを設けている。
【００３８】
凹構造４１ａ、４１ｂとしては、操作部２の操作面が決済情報入力ユニット３内部で磁気カードが通過する領域まで貫通していれば良く、一例としては、磁気カードを通過させる際に磁気カードにおける磁気情報が書き込まれた領域まで貫通していればよい。凹構造４１の背面側は決済情報入力ユニット３の背面側まで貫通している貫通孔であってもよいし、凹構造４１の背面位置で背面側を埋めることによって凹んだように形成されていてもよい。
【００３９】
また、凹構造４１ａ、４１ｂを設けることによって、決済情報入力ユニット３の端部における剛性を高めることができる。
【００４０】
ＭＳＲ４はスリットを有しているため、一般に強度の向上が困難な側面があるが、本実施形態においては、ＭＳＲ４のスリット形状を決済情報入力ユニット３の下端部に設けており、スリットに荷重がかかりにくくするとともに、上述したように凹構造４１ａ、４１ｂをスリットよりも下端側に設けることによって剛性を高めている。
【００４１】
また、視認部４１としての凹構造４１ａ、４１ｂは、筐体側壁のいずれに設けられていてもよく、例えば、図６の決済情報入力ユニット３の側面図において領域Ａの辺りに設けても良い。その場合、磁気ヘッド４３を挟んだ反対側の側壁にも同様の視認部４１を設けることが望ましい。
【００４２】
さらに、筐体側壁に設けた視認部４１から、通常であれば磁気ヘッド４３もしくは磁気ヘッド４３が取り付けられるモジュールの一部が視認できるため、視認部４１に対向する位置（外部から視認部４１を覗いたときに見える位置）に位置する部材については、白色や赤色などの外部から認識し易い色を用いることが好ましい。認識し易い色を用いる一形態としては、照明部による照明も含まれ、部材の色の設定と併せて用いてもよい。
【００４３】
尚、視認部４１としては、内部空間が存在し得るようにされた中空の樹脂筐体に設けられた窓部でも良い。この場合、窓部の背面側に透明の部材を貼り付けることで、視認性と筐体内部への埃等の侵入防止の両立を図ることができる。
【００４４】
視認部４１を、カード通過溝４２に沿う位置のいずれか、特に磁気ヘッド４３に隣接する空間を視認可能に設けることによって、スキミング用磁気ヘッドが配置され得る空間を筐体外部から視認可能にすることができる。
【００４５】
このように、視認部４１を設けることによって、悪意のある者がスキミングを行うためにスキミング用磁気ヘッドを外部から視認不可能な位置に配置するできなくなるため、使用者は特に意識せずとも通常使用するだけで、スキミングされる虞を抱かずに使用することができる。
【００４６】
スキミング用磁気ヘッドを埋め込もうとして何らかの加工をした場合でも、視認部４１が通常使用の際に目に入るように決済情報入力ユニット３の正面側に設けられているため、使用者が通常使用の中で察知することができる。特に、凹構造４１ａ（４１ｂ）を決済情報入力ユニット３の背面側まで貫通する貫通孔として設けた場合には、通常使用時は反対側が見えることになるが、スキミング用磁気ヘッド等が設けられた際に凹構造４１ａ（４１ｂ）内部に何かが設けられていることが通常使用時と比較することにより把握しやすい。
【００４７】
視認部４１を設ける位置としては、磁気ヘッド４３を磁気カードのカード通過溝４２近傍に配置したあとに、スキミング用磁気ヘッドを配置するスペースが生じないように、スキミング用磁気ヘッドの大きさよりも長い隙間が存在しないように配置することが好ましく、例えば図５（Ｂ）に示すように、磁気ヘッド４３を固定するための支持部４４と固定用ボス３２との間に、磁気ヘッド４３のカード通過溝４２に沿う方向の幅よりも長いスペースが空かないように、視認部４１（凹構造４１ａ、４１ｂ）を設けている。
【００４８】
それは視認部を設ける基準として、決済情報入力ユニット３の幅方向において、少なくともカード通過溝４２が設けられた範囲については、スキミング用磁気ヘッドの幅（一例として、磁気ヘッド４３と同等の幅とすることができる）よりも長い部分（空間）が現れないようにすることが好ましい。
【００４９】
なお、視認部４１は左右両側に設けることが好ましいが、片側のみに設けてもよい。特に、磁気ヘッド４３を左右のいずれかに寄せて配置した場合には効果的である。
【００５０】
また、上述したように決済情報入力ユニット３の剛性も併せて考慮して視認部４１を配置してもよい。例えば、磁気ヘッド４３と筐体側壁の外側面との間に凹構造４１ａ、４１ｂを左右それぞれに複数ずつ設けてもよく、そうすることにより、スキミング用磁気ヘッドの配置を困難にするとともに、より決済情報入力ユニット３の強度を向上することができる。
【００５１】
また、例えば、決済情報入力ユニット３内部に配置されたインジケータ４５をＬＥＤ等の照明で構成し、その光を視認部４１まで引き回して、視認部４１の内部に照射されるような導光部４６を設けても良い。その場合、例えば通常使用時には凹構造４１ａ（４１ｂ）内部に赤色の光が到達して赤く見える状態としておき、スキミング用磁気ヘッドが配置された場合に遮られて無色（正確には凹構造４１ａ内の筐体の色もしくは外光が到達しにくいため黒色）に見えるようにしておくことで、通常使用の際に使用者が何らかの違和感を抱き、スキミング用磁気ヘッドが配置されたことを察知することが出来る。
【００５２】
ＬＥＤ等の照明として、インジケータ４５とは別の不図示の照明部４７（例えば、磁気カードの読取が正しく行えたことを示すＬＥＤ照明など）を凹構造４１ａ（４１ｂ）の直下もしくは近傍に設け、凹構造４１ａ（４１ｂ）内を照射するように構成してもよい。
【００５３】
導光部４６、照明部４７のいずれの形態においても、決済情報入力ユニット３の動作中は常に点灯させておくことによって、通常使用する使用者から認識させやすくすることができる。
【００５４】
また、凹構造４１ａ（４１ｂ）としては、内部が視認できる構造であればよいため、凹構造４１ａ（４１ｂ）を、ストラップ等を取り付けるための取付部として構成してもよい。
【００５５】
また、上述した視認部４１の位置に、占有部材を設けてもよい。具体的には、他の構造物を磁気ヘッド４３に隣接して配置してもよいし、磁気ヘッド４３のモジュールとして決済情報入力ユニット３の筐体の幅に近いサイズとするために、磁気ヘッド４３のモジュールの幅に決済情報入力ユニット３の筐体の幅を近づけてもよい。この場合、磁気ヘッド４３のモジュールを構成する部材が占有部材として機能する。
【００５６】
いずれの場合でも磁気ヘッド４３と決済情報入力ユニット３の筐体との間に占有部材を配置することによって、スキミング用磁気ヘッドを配置するスペースを占有することによって、スキミング用磁気ヘッドが配置されることを防ぐことが出来る。特に、他の占有部材を他の構造物を配置することによって設ける場合には、占有部材を取り外されることがないように、決済情報入力ユニット３の筐体の一部で構成したり、決済情報入力ユニット３の制御部等が配置される回路基板と一体に構成したりすることが好ましい。
【００５７】
また、決済情報入力ユニット３を携帯型決済端末１の外装に固定する固定用ビス３２ａもしくは決済情報入力ユニット３の筐体を正面側と背面側の２部品で構成してそれらを嵌合させるための固定用ビス３２ｂが挿通する固定用ボス３２を占有部材として設けてもよい。この場合、通常は筐体の隅に設ける固定用ボス３２をやや内側に配置することになるため、磁気ヘッド４３と固定用ボス３２とスキミング用磁気ヘッドとのサイズを考慮した上で、固定用ボス３２が磁気ヘッド４３との間および筐体の側壁との間にスキミング用磁気ヘッドが配置される隙間を生じない位置に配置されることが好ましい。スキミング用磁気ヘッドの大きさの一例としては、磁気ヘッド４３の大きさと同等であると考えればよい。
【００５８】
尚、本実施形態の凹構造４１ａ、４１ｂについては、ＭＳＲ４の近傍を視認可能にする視認４１であるとともに、凹構造４１ａ、４１ｂの周壁を形成する部分によってＭＳＲ４の近傍を占有しており、スキミング用磁気ヘッドの配置を妨げている。すなわち、視認部であるとともに占有部材として機能しており、より効果的にスキミングを防止することが出来る。
【００５９】
この場合、筐体の正面側に形成された凹構造４１ａ（４１ｂ）が、少なくともＭＳＲ４が配置される位置まで背面側に突出して設けられていれば良い。
【００６０】
図６は、本実施形態に係る決済情報入力ユニット３の側面図である。図６に示すように、決済情報入力ユニット３のカバー３ａは、筐体に対して直角に開放可能となっている。こうすることによって、操作部２に対して顧客が暗証番号等を入力する際に、決済情報入力ユニット３の上方に居る販売スタッフ等に対して手元を隠すことができ、顧客のセキュリティを守ることができる。
【００６１】
図７は、本実施形態に係る決済情報入力ユニット３の背面図である。
【００６２】
決済情報入力ユニット３の背面（裏面）における上辺を除く３辺に沿うようにリブ３３が設けられている。なお、リブ３３は決済情報入力ユニット３の下端部の両側部においては、決済情報入力ユニット３を携帯型決済端末１の本体１ａに固定するための固定用ボス３２に対応するビス穴３２ａを避けるようにして設けられている。上述したように、決済情報入力ユニット３を携帯型決済端末１の本体１ａに取り付ける構造として、ビス穴３２ａを設けない構造とした場合には、決済情報入力ユニット３の背面における外周に沿うように設けることが好ましい。
【００６３】
図７において、左右から上方に向かって延びるリブは、決済情報入力ユニット３の上面に到達し、上面の正面側に延び、嵌合爪３１まで連続して設けられている。このリブ３３によって、決済情報入力ユニット３を携帯型決済端末１に搭載した状態における防塵構造となっている。
【００６４】
また、決済情報入力ユニット３の背面には、導電部３４が複数設けられている。上述したように、決済情報入力ユニット３を携帯型決済端末１の本体１ａに取り付ける際に、嵌合爪３１を引っ掛けた後決済情報入力ユニット３の下端側を本体１ａ側に近づける際に、本体１ａの収容部１２内に配置された基板１４０側の金属部材１３０に接触し、決済情報入力ユニット３と携帯型決済端末１との導通を取ることが出来る。
【００６５】
本体１ａ側の金属部材１３０は、決済情報入力ユニット３との導通を確実に複数の点で取るために、決済情報入力ユニット３の取り付けに伴って弾性変形するようになっていることが好ましい。また、決済情報入力ユニット３の取り付けの際に、回動中心に近い側の方が、加わる押圧力が大きくなるため、決済情報入力ユニット３の筐体の下端側には２つの導電部３４を下端側の壁面に平行に並ぶように設けており、嵌合爪３１に近い側においては、嵌合爪３１からの距離が異なるように複数の導電部３４を設けることで、各導電部３４に加わる荷重を均一化することができる。
【００６６】
なお、本実施形態においては、図９に示すように、基板１４０の下方の２箇所にのみ弾性構造を有する金属部材１３０を設けており、決済情報入力ユニット３を本体１ａに取り付ける際に嵌合爪３１を  爪受け部１１に引掛けて回動させて取り付ける回動動作の終端付近で導電部３４と金属部材１３０とが当接し始めて金属部材１３０の弾性による付勢力を導電部３４が受けながら決済情報入力ユニット３を取り付けるように構成されている。
【００６７】
また、決済情報入力ユニット３と携帯型決済端末１との間で情報の送受信を行うための信号ラインを接続するためのコネクタ３５が設けられている。信号ラインとしては、例えばＦＰＣ（Ｆｌｅｘｉｂｌｅ  ｐｒｉｎｔｅｄ  ｃｉｒｃｕｉｔｓ）などのプリント基板でも良いし、決済情報入力ユニット３の取り付けに伴ってコネクタ同士が接続されるようになっているものであっても良い。
【００６８】
その場合、決済情報入力ユニット３を取り付けるだけで信号ラインの接続も行えるため、組立作業性を向上できる。この場合、回転に連動してコネクタ同士を接続する必要があるため、回転中心となる嵌合爪３１側にコネクタを設ければ接続の確実性を向上することができる一方、使用するコネクタの種類がある程度高さを有するものである場合には、回転中心となる嵌合爪３１から離れた位置すなわち決済情報入力ユニット３の下端側にコネクタを設けることで、回転によってコネクタ同士が接続される構造としたとしても、一方のコネクタに対して略垂直に他方のコネクタを近接させていくことができ、コネクタに対する負荷を低減するとともに、取り付けの確実性を向上できる。
【００６９】
また、信号ラインは、導通部３４の一部の代わりに設けてもよい。具体的には、例えば、嵌合爪３１に最も近い部分に配置される導電部３４の代わりに信号ライン用の電気接点を設け、これにより決済情報入力ユニット３と携帯型決済端末１側との信号の送受信を行ってもよい。この場合、確実に電気接点を取るために、回転中心となる嵌合爪３１側に電気接点を設けることが好ましい。
【００７０】
また、決済情報入力ユニット３の上端部には、嵌合爪３１を挟むようにして複数の嵌合突起３６が設けられている。上記実施形態にて詳述した携帯型決済端末１とは異なる他の携帯型決済端末に取り付ける場合に、嵌合爪３１に代えて嵌合突起３６を用いて固定することができるようになっている。必要に応じて嵌合突起３６を貫通するようなビスによってビス固定できるように、嵌合突起３６にはビス穴３６ａも設けられている。
【００７１】
また、決済情報入力ユニット３は、その背面側に仕切り部材３７を有している。仕切り部材３７によって携帯型決済端末１の本体１ａの収容部１２に設けられた基板１４０等との間の電気的な絶縁を取ることができる。
【００７２】
本実施形態においては、仕切り部材３７は決済情報入力ユニット３の背面側にビス固定されており、仕切り部材３７によって決済情報入力ユニット３の内部空間を略密閉している。
【００７３】
それにより決済情報入力ユニット３単体としての絶縁性を確保することができ、導通部以外において携帯型決済端末１側と不意に導通することを確実に防いでいる。
【００７４】
また、上述したリブ３３も仕切り部材３７に設けられている。そのため、決済情報入力ユニット３を他の携帯型決済端末などに取り付ける際に、仕切り部材３７をリブ３３とは別のリブ形状を有する他の仕切り部材へと変更することによって、携帯型決済端末の防塵性を簡易な構成で向上できる。
【００７５】
図８は、決済情報入力ユニット３の外観図として上面図および斜視図を示している。
【００７６】
決済情報入力ユニット３の背面側に設けられたリブ３３は、上方に向かって延びており、上面に設けられたリブ３８に繋がっている。
【００７７】
リブ３８は決済情報入力ユニット３の上面側に設けられており、その中央部には嵌合爪３１が設けられている。なお、リブ３８における嵌合爪３１が設けられる位置（中央部）は、他のリブ３８よりもお側に突出して設けられている。このように、決済情報入力ユニット３の背面側に設けたリブ３３と上面側に設けた３８とを連続させ、環状のリブとして形成することで、携帯型決済端末１に組み込む際に、本体１ａとの隙間を低減し、防塵性を向上できる。また、環状に形成しているため、本体１ａ内部の基板１４０などに配置されたＬＥＤ１５０などによる外部への光漏れなどに対する遮光性も向上できる。
【００７８】
また、決済情報入力ユニット３の下方側において、上方側よりも厚み（正面側と背面側との幅）が厚くなるようになっている。具体的には、背面に段部３７ｂが設けられ、決済情報入力ユニット３の下端側の仕切り板下部３７ｃの厚みが厚くなるようになっている。こうすることによって、決済情報入力ユニット３を携帯型決済端末１に組み込む際に、下端側の接触位置を背面側に寄せることができ、嵌合爪３１を中心とした回動動作をする際に下端側の取り付け安定性を向上できる。
【００７９】
図９には、携帯型決済端末１から決済情報入力ユニット３を取り外した状態の斜視図を示す。
【００８０】
携帯型決済端末１の本体１ａには、決済情報入力ユニット３側の嵌合構造である嵌合爪３１と嵌合する被嵌合部としての爪受け部１１が設けられており、嵌合爪３１が正面側に向けて引っ掛かるようになっている。決済情報入力ユニット３を本体１ａに取り付ける際には、嵌合爪３１を爪受け部１１に対して引っ掛けたのち、下端側を本体１ａに向けて回動させることによって決済情報入力ユニット３の取り付けを行う。その際に、決済情報入力ユニット３に設けたリブ３３は、本体１ａの側壁に設けられた縁部１３３の内側に入り込むように実装される。すなわち、決済情報入力ユニット３の背面におけるリブ３３の外側の部分３３ａが、本体１ａの縁部１３３に正面側から当接する。
【００８１】
リブ３３と縁部１３３は、可能な限り隣接して配置することによって防塵性をより向上できる。
【００８２】
一方、リブ３８も本体１ａに設けられた庇部１３８の背面側に入り込むことによって本体１ａとの間に隙間が生じないようになっている。より詳しく言えば、決済情報入力ユニット３と携帯型決済端末１との間に生じる隙間をリブ３３またはリブ３８とで埋めている。これによって、決済情報入力ユニット３と携帯型決済端末１間の防塵性や遮光性を向上している。
【００８３】
図１０は、本実施形態に係る携帯型決済端末１が有する導光部材の拡大図である。図９において、基板１４０の上方側に設けられたＬＥＤ１５０の正面側に位置する導光部材１６０によって、本体１ａに設けられたインジケータ１７０を照射している。
【００８４】
図１０は、導光部材１６０を本体１ａの背面側から見た拡大図を示しているが、実際には、導光部材１６０とその周囲に配置される本体１ａの補強壁１８０を示している。
【００８５】
導光部材１６０は正面側に平面部１６１を備えており、そこから、その背面側に配置された２つのＬＥＤ１５０に向かって、先端が細った形状の導光柱１６２が設けられている。導光柱１６２の外形としては、上下左右方向にリブが延びた星型となっている。
【００８６】
図１０には、導光部材１６０が対向するＬＥＤ１５０の位置を点線で示しており、導光部材１６０は、導光柱１６２の先端から下方に向かって延びる下方リブ１６３を備える。この下方リブ１６３は、導光柱１６２から下方に延びた部分の先端側に、背面側に延びる突出部１６４が設けられており、突出部１６４は、導光柱１６２における中央部（軸）の先端部分１６２ａよりも、背面側すなわち基板１４０側に突出している。なお、その様子は図９にも示している。
【００８７】
この構造によって、ＬＥＤ１５０に対して近接して導光部材１６０を配置することにより、導光性能を向上しつつ、携帯型決済端末１のように、持ち運びによる衝撃が加わりやすい製品において、本体１ａ内の部品形状が撓んだりした場合にも、導光部材１６０がＬＥＤ１５０に対して接触することを防ぐことができる。具体的には、導光柱１６２の先端に設けられた突出部１６４と基板１４０との距離が、導光柱１６２の先端部分１６２ａとＬＥＤ１５０との距離よりも短くなっており、導光柱付近が基板１４０側に近づくように撓んだとしても、先に突出部１６４が基板１４０に当接するようになっている。当然ながら、突出部１６４に対向する基板１４０の位置には電子部品は配置されていないことが好ましい。
【００８８】
また、補強壁１８０は、本体１ａに設けられているが、２つの導光柱１６２の間に突出して設けられていることが好ましい。こうすることによって、２つのＬＥＤ１５０による光の一方が、他方のＬＥＤ１５０に対向する導光柱１６２に入射するのを低減することができ、適切なインジケータ１７０の表示を行うことができる。なお、ＬＥＤ１５０は２つに限らず、３つ以上あっても同様であり、複数用いられている場合には本形態が好適に用いることができる。
【００８９】
また、補強壁１８０を上述したようにＬＥＤ１５０同士の間に突出させて設ける一方で、単一の平面部１６１に導光柱１６２を設けた導光部材１６０を構成することによって、導光部材１６０の取り付け時に、上下の方向を誤って取り付けることを防ぐことができ、上下の方向も一目瞭然となるため、作業性を向上できる。
【００９０】
なお、本実施形態の導光部材１６０は、２つ用いる場合を示したが、例えば３つの導光部材を使用する場合にも好適である。すなわち、導光部材１６０は、左右の導光柱１６２近傍の構造が等しいものとなっており、それらを接続部１６５で接続した構造となっている。こうすることによって、導光部材１６０を接続部１６５の部分で左右に分割して、１つの導光柱１６２として使用することができる。その場合にも取り付け向きが容易に判断できるように、導光部材１６０は、それぞれの導光柱１６２の周囲の１か所にＣ面カットが施されている（図１０においては、紙面左下）。
【００９１】
導光部材１６０を２つに分割した場合にも取り付け向きが容易に判断できるような構造（方向視認部）を有していればよく、例えば、導光部材１６０の側方に位置する平面部１６１に円弧状の切り欠きなどを設けてもよい。
【００９２】
図１１は、決済情報入力ユニット３を携帯型決済端末１の本体１ａに搭載した携帯型決済端末１の断面図である。
【００９３】
図１１に示す通り、決済情報入力ユニット３の背面側にはバッテリ１３が配置されており、バッテリカバー１３ａによって本体１ａに収容されている。
【００９４】
バッテリカバー１３ａの上方側には印刷ユニット６が配置されており、印刷ユニット６側に設けられたバッテリ端子近傍に配置された不図示の電源基板とも隣接している。印刷ユニット６が電源基板と隣接して配置されていることによって、印刷ユニット６を駆動するのに必要な高電圧を本体１ａ内で引き回す必要がない。また、決済情報入力ユニット３は、バッテリ１３および印刷ユニット６の一部の両方に跨るようにして配置されているが、仕切り部材３７によって効果的に両者との絶縁を行っている。決済情報入力ユニット３は、印刷ユニット６の一部である印刷ユニット６ｂの下端部と本体１ａの厚み方句（図１１の紙面左右方向）において重なるように嵌合爪３１が設けられている。また、図１０には表されていないが、図９に示すように、印刷ユニット６が有する印刷用搬送モータ６ｄが印刷ユニット６から下端側に向けて突出した位置に設けられており、決済情報入力ユニット３は、印刷用搬送モータ６ｄの正面側に配置されている。
【００９５】
すなわち、携帯型決済端末１としては、印刷ユニット６とバッテリ１３とを本体１ａの背面側に並べて配置し、決済情報入力ユニット３を印刷ユニット６とバッテリ１３に対して本体１ａの厚み方向（図１１における紙面左右方向）に重なるように配置することで、決済情報の入力を簡易な構成で実装しつつ、省スペースな決済端末を実現している。換言すれば、決済情報の入力に関する構成については決済情報入力ユニット３に集約し、その決済情報を印刷や通信により外部に出力するための構成を本体１ａ側に設けることによって、決済情報入力ユニット３を共通とし、その他の必要な機能を適宜選択した本体１ａに適用することで、種々の携帯型決済端末１の提供が容易に可能となるものである。
【００９６】
また、図７に示すように、仕切り部材３７は、決済情報入力ユニット３において磁気カードの取込口４２ａが設けられる一側面と磁気カードの排出口４２ｂが設けられる他側面との間に設けられている。このように、仕切り部材３７が一側面と他側面との間に介在することで、決済情報入力ユニット３を把持する際に幅方向にかかる荷重に対して仕切り部材３７が抗力を及ぼすことができ、決済情報入力ユニット３の強度を向上することができる。この点では、決済情報入力ユニット３を携帯型決済端末に組み込んだ際にも同様に効果を発揮する。
【００９７】
決済情報入力ユニット３のＭＳＲ４の上端部付近の仕切り部材３７に段部３７ａを設け、バッテリ１３からの電力の供給と入力された決済情報に関連する情報を基板１４０に出力するためのコネクタ３５をその段部３７ａの段差における正面側に来るように配置している。さらにコネクタ３５が配置される位置に対応する仕切り部材３７には開口を設けており、コネクタ３５から引き出されたＦＰＣが本体１ａ側（基板１４０側）に引き出される。
【００９８】
この構成により、コネクタ３５がＭＳＲ４に対向する位置にある仕切り部材３７よりも背面側に突出することを防ぎ、決済情報入力ユニット３の本体１ａへの実装を容易にしている。
【００９９】
嵌合爪３１を受ける爪受け部１１は、印刷ユニット６の排紙口６１を構成する樹脂と一体に形成されている。
【０１００】
本発明は上記実施形態に限定されるものではなく、本発明の趣旨に基づき種々の変形が可能であり、それらを本発明の範囲から除外するものではない。
【０１０１】
特に、上記実施形態においては特にスキミング防止の観点で説明を行ったが、本発明はこれに限定されるものではなく、その他の特徴についてもそれぞれに効果を発揮することができるものである。
【０１０２】
例えば、決済情報入力ユニット３を複数の携帯型決済端末に搭載可能なように、筐体の上方に嵌合爪３１を設け、筐体の下方に固定用ボス３２を設けていることなどである。こうすることで、簡易な構成で決済情報入力ユニット３を携帯型決済端末の本体を形成する部材（上記実施形態における本体１ａ）に取り付けることが可能になる。
【０１０３】
本発明の一態様としては、上述したように、クレジットカード等の磁気カードを使って決済処理を受け付ける装置において、磁気カードから磁気情報を読み取るための磁気ヘッドの周囲の少なくとも一部を外部から視認できるように、又は磁気ヘッドの周囲におけるデットスペースを極力無くし、スキミング目的の磁気ヘッド等の実装を防ぐ構造を採用した点に特徴がある。
【０１０４】
また、本発明の他の態様としては、上述したスキミング対策の構造に限定されず、例えば、スキミング対策の構造を持たない決済情報入力装置についても広く対象とするものである。具体的には、磁気カードを使って決済処理を受け付ける装置を、例えば、外観のデザインだけでなくレシート等のプリンタや電子マネー読取部、発券機能などの専用端末、これらの機能を適宜組み合わせて多機能化した複合端末の本体に対し、共通の決済機能を持たせて携帯型決済端末とするための共有ユニット（共通モジュール）として位置付け、異なる形態の端末本体に適合し易い構造を備えるようにした点にも特徴がある。
【０１０５】
ここで、決済情報入力装置は、磁気カードを横引きするスリットやＩＣカードを挿入する挿入部が設けられるため、携帯型決済端末本体に実装された状態においては、ユーザの操作性を確保することが望ましく、特に、磁気カードを横引きするスリットは、携帯型決済端末の端部に配置されることが好ましい。
【０１０６】
ＩＣカードの挿入部としては、携帯型決済端末を片手で把持した状態でもう一方の手で挿脱可能にすべく、本体側面に配置されるのが好ましい。
【０１０７】
そのため、決済情報入力装置の一端部（下方側の端部）を磁気カードの横引きスリットを構成する壁部で構成し、決済情報入力装置の一方側の側面にＩＣカードの挿入部を設けておけば、このような決済情報入力装置を端末本体へ実装するだけで、携帯型決済端末の一端部側に磁気カードの横引き用のスリットを配置でき、その携帯型決済端末の一端部側の側部にＩＣカードの挿入部を配置することが可能となる。
【０１０８】
また、このような決済情報入力装置のうちキー操作部が設けられた一方面とは反対側の裏面においては、決済情報入力装置の両側壁の内方に内カバーを兼ねた仕切り板を嵌め込んでおくことにより、端末本体へ組み込んだ状態では、両側壁がユーザのグリップ部に相当し、決済情報入力装置の剛性を高めることができる。
【０１０９】
また、本実施形態においては、決済情報入力ユニット３の下端部にＭＳＲ４のスリットを設け、上端部に嵌合爪３１を設けることによって、嵌合爪３１を支点に回動させて携帯型決済端末１に取り付けるように本体１ａ側を構成して、ＭＳＲ４のスリットにおける強度の低下を考慮しＭＳＲ４のスリットを筐体の下端部に配置する構成の携帯型決済端末１を容易に提供することが可能となる。
【０１１０】
また、本実施形態の決済情報入力ユニット３においては、背面側の３辺（左右、下端）に沿うようにリブ形状３３を設けたことによって、決済情報入力ユニット３を携帯型決済端末１の本体１ａに取り付ける際に、左右方向の位置決めとなり、取り付け性を向上できる。
【０１１１】
また、本実施形態の決済端末においては、図１０に示すように、排紙口６１に排紙カッター６１ａを設けており、印刷ユニット６内に設けられたロール紙への印字後に出力される紙を切ることができるようになっているが、排紙口６１における排紙よりも上方側に排紙カッター６１ａが設けられている。こうすることによって、操作部２に対して顧客が暗証番号等を入力する際に、垂直に起こしたカバー３ａが庇になることで決済情報入力ユニット３の上方に居て決済端末を挟んで顧客と対面している販売スタッフ等に対して手元を隠すことができ、顧客のセキュリティを守ることができると同時に、印字された紙を販売スタッフ等が手前（端末上方）に引いてカットすることができ、好ましい。
【０１１２】
排紙口に対して下方に排紙カッターがあると、カバー３ａを垂直に起こしている状態ではカットしにくくなるため、カバー３ａが垂直に起きるように構成された決済端末においては、本実施形態のような排紙カッター６１ａの位置が好適である。また、この位置に設けられた排紙カッター６１ａは、ロール紙カバー６ｃと共にロール紙カバーヒンジ６ｅを中心に回動して上方へ移動し、ロール紙カバー６ｃを略１８０度展開してロール紙を交換、取り付ける際に、排紙カッター６１ａが背面側へ移動することになるため、例えば、携帯型決済端末１の背面側を床や作業台に載置してロール紙の交換等を行う際に、正面側に排紙カッター６１ａが位置しないため、安全に作業を行うことができる。
【符号の説明】
【０１１３】
１  携帯型決済端末
１ａ  本体
１１  爪受け部
２  操作部
２ａ  テンキー部
２ｂ  接触型ＩＣカード挿入口
２ｄ  接触型ＩＣカードリーダ
３  決済処理ユニット
３ａ  カバー
３１  嵌合爪
３２  固定用ボス
３２ａ  固定用ビス
３２ｂ  固定用ビス
４１ａ  凹構造
４１ｂ  凹構造
５  表示部
６  印刷ユニット
６１  排紙口
【図１】
2018055281.tif 000003
【図２】
2018055281.tif 000004
【図３】
2018055281.tif 000005
【図４】
2018055281.tif 000006
【図５】
2018055281.tif 000007
【図６】
2018055281.tif 000008
【図７】
2018055281.tif 000009
【図８】
2018055281.tif 000010
【図９】
2018055281.tif 000011
【図１０】
2018055281.tif 000012
【図１１】
2018055281.tif 000013